(57)【特許請求の範囲】
【請求項１】
浴室内の空調運転を行う空調手段と、
浴室内の湿度を検出する湿度検出手段とを備えた浴室空調装置であって、
前記湿度検出手段により乾燥運転開始前の２４時間換気運転時に検出した第１の湿度と、乾燥運転終了後に２４時間換気運転を再開して所定時間経過後に検出した第２の湿度とを比較する湿度比較手段と、
前記湿度比較手段に基づき、前記第２の湿度が前記第１の湿度よりも大きいときは追加乾燥運転を実行し、前記第２の湿度が前記第１の湿度以下のときは２４時間換気運転を実行するよう制御する制御手段とを備えた
ことを特徴とする浴室空調装置。
【請求項２】
前記制御手段は、前記湿度比較手段と、予め設定されたデータテーブルに基づいて、湿度差に適した追加乾燥運転時間を決定する
ことを特徴とする請求項１記載の浴室空調装置。
【請求項３】
前記制御手段は、前記追加乾燥運転の実行時間が予め設定された上限値に達した場合に、前記追加乾燥運転を強制終了する
ことを特徴とする請求項１または請求項２記載の浴室空調装置。
【発明の詳細な説明】
【技術分野】
【０００１】
この発明は、浴室空調装置に関する。詳しくは、浴室内で衣類などの洗濯物や乾かし物（以下洗濯物等という）を乾燥したのち、乾燥後の洗濯物等を浴室内に放置したり、乾燥時間が不十分であったような場合でも、追加乾燥処理（再乾燥処理）を自動的に行うことで、洗濯物等を確実に乾燥させることができるようにしたものである。
【背景技術】
【０００２】
乾燥機能付きの空調装置として、浴室空調装置が知られている（特許文献１）。このような浴室空調装置を利用して、浴室内で洗濯物等の乾燥を行う場合には、浴室内に設置されたランドリーパイプ等の物干し部材に洗濯物等を掛け、そして操作部に設けられた乾燥モードスイッチを選択する共に、タイマによって乾燥時間を選択して乾燥運転を行う。
【０００３】
乾燥運転は通常タイマ運転であり、予め選択されたタイマ時間後（例えば４時間後）に乾燥運転が終了し、終了した段階で洗濯物等を浴室から取り出して、タンスなどに収納する。
【０００４】
【特許文献１】特開２００４−２１１９５９号公報
【発明の開示】
【発明が解決しようとする課題】
【０００５】
ところで、上述したように乾燥運転は通常タイマ運転であり、設定されたタイマ時間になると乾燥運転が自動的に停止する。タイマ時間の設定が充分でないと、例えば節電を考慮してタイマ時間の設定が短すぎたような場合には、乾燥運転が終了しても洗濯物等が完全には乾燥されていない場合がある。つまり、生乾きの状態となっている。そのような場合には、再度乾燥運転モードを選択し、改めてタイマ時間を設定して乾燥運転を実行しなければならない。
【０００６】
また、タイマ設定時間が適切で洗濯物等が充分乾燥していても、乾燥運転終了後浴室内に洗濯物等を放置してしまう場合がある。例えば、深夜などに乾燥運転を行うようなときである。洗濯物等を浴室内にそのまま放置すると乾燥した洗濯物等に浴室内の水分が再度付着することになるから、洗濯物等の乾燥が充分でないという問題が生じるおそれもある。
【０００７】
そこで、この発明はこのような従来の課題を解決したものであって、洗濯物等の乾燥が不十分であるときは、自動的に再度乾燥運転モードを実行するようにしたものである。
【課題を解決するための手段】
【０００８】
上述した課題を解決するため、この発明に係る浴室空調装置は、浴室内の空調運転を行う空調手段と、浴室内の湿度を検出する湿度検出手段とを備えた浴室空調装置であって、湿度検出手段により乾燥運転開始前の２４時間換気運転時に検出した第１の湿度と、乾燥運転終了後に２４時間換気運転を再開して所定時間経過後に検出した第２の湿度とを比較する湿度比較手段と、湿度比較手段に基づき、第２の湿度が第１の湿度よりも大きいときは追加乾燥運転を実行し、第２の湿度が第１の湿度以下のときは２４時間換気運転を実行するよう制御する制御手段とを備えたことを特徴とする。
【０００９】
この発明では、空調運転モードの１つに乾燥運転モードを用意する。また、浴室内の湿度を検出するため湿度検出手段としての湿度センサを備える。湿度センサは空調装置本体内であって、浴室内の空気を吸い込む吸込口付近に設けることができる。湿度センサのセンサ出力は空調運転を制御する制御・演算部に供給される。
【００１０】
制御・演算部には各種の運転モードを選択するための操作部が関連されている。
したがってこの制御・演算部の機能としては、その一部として検出された湿度を比較し、その結果で空調運転モードを制御する機能が含まれる。
【００１１】
浴室空調装置には２４時間換気運転モードが用意され、この２４時間換気運転モードが選択されているときは、浴室内の湿度が定期的に検出される。洗濯物等を乾燥する乾燥運転モードが選択されたときは、この乾燥運転モードが選択された直前に検出された湿度若しくは乾燥運転モードが選択された直後に検出された湿度を第１の湿度として保存する。第１の湿度については、通常運転されている２４時間換気運転モード時に、定期的（例えば３０分毎）に湿度をサンプリングして、その平均値を第１の湿度として用いることもできる。その場合には、乾燥運転モードが選択されたタイミングの直前までにサンプリングされた湿度の平均値を使用することができる。２４時間換気運転モードでは、第１の湿度（平均値）は５０％程度となる。
【００１２】
次に、乾燥運転モードが終了してから所定時間経過後に、浴室内の湿度を検出する。所定時間とは、３０分〜１時間程度である。所定時間が短すぎると、乾燥運転モード時の室内湿度（１５〜３０％）を検出してしまうおそれがあるからである。検出されたこの湿度を第２の湿度として、第１の湿度と比較する。
【００１３】
乾燥運転前（直後を含む。）と比較して湿度が上昇しているときは、浴室内の湿度が高くなっていることになるので、この場合には洗濯物等が充分乾燥していないと判断して、追加乾燥運転を行う。追加乾燥運転の運転時間は湿度差によって異ならせる。追加乾燥運転の運転時間と湿度差との関係を、予めマップ化しておけば、湿度差から、その湿度差に適した追加乾燥運転時間や稼働対象を簡単に選択できる。
【００１４】
追加乾燥運転は、風量を一定にしてヒータ温度（ヒータ発熱量）と運転時間を、湿度差に応じて可変する場合でもよければ、ヒータ温度を一定にして風量と運転時間を、湿度差に応じて可変してもよいし、あるいはその双方（風量とヒータ温度運転時間）を湿度差に応じて可変にしてもよい。さらに、ヒータに通電せずに循環換気運転を行うようにしてもよい。第１回目の追加乾燥後も継続して湿度を監視して、第２回目以降の追加乾燥を行ってもよい。洗濯物等を確実に乾燥させるためである。
【発明の効果】
【００１５】
この発明では、乾燥運転直前の湿度に対して、乾燥運転終了後の湿度が高いときは追加乾燥運転を自動的に行うようにしたものである。これによって、洗濯物等が浴室内に放置されている場合でも、あるいは乾燥運転時間が短く設定させてしまったようなときでも、洗濯物等を確実に乾燥させることができる。
【発明を実施するための最良の形態】
【００１６】
続いて、この発明に係る浴室空調装置の好ましい実施例を図面を参照して詳細に説明する。
【実施例１】
【００１７】
図１はこの発明に係る浴室空調装置１の適用例であって、洗面所１７に隣接した浴室１８に設置された状態を示している。
【００１８】
浴室空調装置１は浴室１８の天井に設置される。浴室１８の天井パネルには、浴室空調装置１の本体ケース６３が入る開口部が形成され、浴室空調装置１は、フロントパネル６が露出するようにして、天井裏から吊り下げる形態、あるいは天井パネルに固定する形態等で取り付けられる。
【００１９】
浴室１８の天井に取り付けられた浴室空調装置１では、排気ダクト接続部１９に排気ダクト２０が接続される。排気ダクト２０は、建物の外壁に取り付けた排気グリル２１に接続される。これにより、浴室空調装置１で吸い込んだ浴室１８内の空気を、排気ダクト２０を介して外に排気できる構成となっている。
【００２０】
浴室空調装置１は、後述するように洗濯物等を乾燥させる機能を備えているので、浴室１８には洗濯物などの洗濯物等２７等を掛けるランドリーパイプ（吊り下げ部材）２２を備える。吹出口６ａから吹き出す空気が、浴槽１８ａ外の洗い場１８ｂなどに居る入浴者に直接当たると、寒さを感じることがあるので、吹き出方向はランドリーパイプ２２側に向くように設定される。
【００２１】
吹き出方向が調整できる構成では、浴室空調装置１の設置位置に応じて自在に吹き出し方向が調整可能であるので、この場合においてもランドリーパイプ２２側に向くように吹き出し方向が設定される。
【００２２】
浴室１８の入口には浴室ドア２３を備える。浴室ドア２３は空気取入口（ガラリ）２３ａを備え、洗面所１７等の空気を浴室１８内に取り込めるようになっている。
【００２３】
洗面所１７等の他室の空気を吸い込むための吸気ダクト接続部６５ａを本体ケース６３に設け、吸気ダクト接続部６５と接続した吸気ダクト６５を設けることで、浴室１８内の空気に加え、吸気口６５ｂから他室の空気を吸い込み、吸い込んだ空気を屋外へ排気することができる。また、吸気ダクト接続部６５を設けたが、これを設けず、他室の換気を行わない構造でもよい。
【００２４】
図２〜図５は浴室空調装置１の内部構成例を示すもので、図２は浴室空調装置１の分解斜視図、図３はその平面図、図４は図３のＡ−Ａ断面図、図５は図３のＢ−Ｂ断面図である。これら断面図は、説明の都合上浴室空調装置１の内部構成を概略的に示した。
【００２５】
図２以下に示す浴室空調装置１は複数の運転モードを実現できるように構成されている。運転モードとは、換気運転モード、暖房運転モード、涼風運転モード、乾燥運転モードなどである。そのため、この浴室空調装置１には、涼風（送風）及び温風を吹き出す循環空調ユニット５１（図２以下参照）と、換気ユニット５２（図４参照）を備える。
【００２６】
図４に示すように循環空調ユニット５１は、循環ファン部５３とヒータ部５４を備える。循環ファン部５３はシロッコファンで循環手段を構成し、循環ファンモータ５３ａに回転駆動される多翼の羽根車（ファン）５５と、風路を形成する循環ファンケース５６を備える。
【００２７】
循環ファンケース５６は、羽根車５５の軸方向に沿った面を開口して形成される吸込口５７ａと、羽根車５５の接線方向に沿って形成される風路５６ａと連通した吹出口５７ｂとを備える。
【００２８】
図３に示すヒータ部５４は加熱手段を構成し、図５に示すように循環ファンケース５６の吹出口５７ｂ近傍の風路５６ａにＰＴＣヒータ５８を備える。
【００２９】
換気ユニット５２は、図４に示すように換気ファン部５９を備える。換気ファン部５９はシロッコファンで換気手段を構成し、換気ファンモータ５９ａに回転駆動される多翼の羽根車（ファン）６０と、風路を形成する換気ファンケース６１を備える。
【００３０】
換気ファンケース６１は、図４に示すように羽根車６０の軸方向に沿った面を開口して形成される吸込口６２ａと、羽根車６０の接線方向に沿って形成される風路６１ａと連通した吹出口６２ｂとを備える。
【００３１】
循環空調ユニット５１と換気ユニット５２は本体ケース６３に取り付けられる。本体ケース６３は、換気ユニット５２の吹出口６２ｂと連通する排気ダクト接続部６４を一の側面に備える。また、本体ケース６３は、排気ダクト接続部６４を備えた側面と異なる側面に吸気ダクト接続部６５を備える。排気ダクト接続部６４に排気ダクト（図示はしない）が接続され、吸気ダクト接続部６５に吸気ダクト６５ａが接続され、例えば、洗面所等の他室に連通し、他室の空気を吸い込むようになっている。吸気ダクト接続部６５を複数設けて、洗面所１７に加えて図示しないトイレ等の空気を吸い込むようにしてもよい。
【００３２】
換気ユニット５２は、図４に示すように本体ケース６３の吸気ダクト接続部６５と換気ファン部５９の吸込口６２ａが連通して第１の換気風路６６ａが形成される。
【００３３】
本体ケース６３内には、図４に示すように換気ファン部５９の吸込口６２ａの下側に換気風路形成部６７が取り付けられ、第２の吸気風路６６ｂを介して吸込口６２ａと連通する吸気口６８が形成される。
【００３４】
本体ケース６３の一部であって、浴室１８内の空気が循環する風路内には、浴室２８内の湿度検出手段が設置される。例えば図５に鎖線で示す風路内、この例では循環ファンケース５６内であって、循環ファンモータ５３ａとＰＴＣヒータ５８との間の底面側に湿度検出手段として機能する湿度センサ２６が取り付け固定される。
【００３５】
図６は浴室空調装置１の制御機能部の一例を示すブロック図である。浴室空調装置１の制御機能部においては、ＣＰＵ（Central Processing Unit）やメモリ等で構成される制御・演算部２４に、操作部（リモコン操作部）２５及び湿度検出用の湿度センサ２６が接続される。制御・演算部２４には、さらに循環ファンファン５３ａ、換気ファンモータ５９ａ及びヒータ５８等が接続される。操作部２５は、例えば浴室空調装置１本体と独立したリモートコントロール装置であって、図１に示すように、洗面所１７の壁面等に取り付けられる。
【００３６】
図７は操作部２５の一例を示す構成図である。操作部２５はＬＣＤなどの表示部３９と、各種操作ボタン等を備える。操作ボタンとしては、例えば、浴室空調装置１の電源ＯＮ・ＯＦＦを行う電源ボタン３８、暖房運転モードを選択する暖房モードボタン２８と、涼風運転モードを選択する涼風モードボタン２９と、換気運転モードを選択する換気モードボタン３０と、乾燥運転モードを選択する乾燥モードボタン３１を備える。
【００３７】
乾燥運転モードは、浴室内で洗濯物等を乾燥させるときに使用される運転モードであって、この発明ではこの乾燥運転モードに関連して、浴室１８内の湿度を考慮した追加運転モードが設定されている。
【００３８】
選択した運転モードを利用者が確認できるように、例えば各ボタンに対応してランプ３２を備え、選択された運転モードのボタンに対応するランプ３２が点灯する。タイマボタン３３によって設定した時間（タイマ時間）だけ、運転モードが実行される。
【００３９】
さらに、乾燥運転モードの終了ボタン３４を備える。この終了ボタン３４によって設定された運転時間内であっても強制的に乾燥運転モードを終了させることができる。
【００４０】
このように浴室空調装置１は、複数の運転モードが用意され、その何れかを選択できるようになっている。暖房運転モードから説明する。
【００４１】
（１）暖房運転モード
暖房運転モードボタン２８が押されると、制御・演算部２４からの制御信号に基づいて循環ファンモータ５３ａとＰＴＣヒータ５８が駆動される。循環ファンモータ５３ａが駆動されると、フロントパネル６の吸込口６ｂを通して、循環ファン部５３の吸込口５７ａから室内の空気が吸い込まれ、循環ファンケース５６によって吹出口５７ｂへと空気が流れる。
【００４２】
このとき同時にＰＴＣヒータ５８が通電される。ＰＴＣヒータ５８が加熱されることで風路５６ａを通る空気が加温され、フロントパネル６９の吹出口７から温風が吹き出される。これにより、暖房モードでは冬場等に浴室１０２を暖めることができる。
【００４３】
暖房モードでは、換気ファンモータ５９ａは駆動されないので、換気は行われない。そのため、暖房モードで暖められた浴室１８内の空気が屋外に排出されることはない。
【００４４】
（２）涼風運転モード
涼風モードボタン２９が押されると、制御・演算部２４からの制御信号によって循環ファンモータ５３ａが駆動される。循環ファンモータ５３ａが駆動されるとフロントパネル６の吸込口６ｂを通して、循環ファン部５３の吸込口５７ａから室内の空気が吸い込まれ、循環ファンケース５６によって吹出口５７ｂへと空気が流れる。
【００４５】
涼風モードでは、ＰＴＣヒータ５８に対する通電は行われない。したがって風路５６ａを通る空気は加温されず、室内の温度に応じた送風が吹出口６ａから風が吹き出される。これにより、涼風運転モードでは夏場等に浴室空調装置１を扇風機として使用できる。涼風モードでは、換気ファンモータ５９ａは駆動され、換気が行われ、循環換気運転が行われる。
【００４６】
（３ａ）換気運転モード
換気モードボタン３０が押されると、制御・演算部２４からの制御信号によって換気ファンモータ５９ａが駆動される。換気ファンモータ５９ａが駆動されると、吸込口６ｂから浴室１８内の空気が吸い込まれ、第２の換気風路６６ｂ及び換気ファン部５９の吸込口６２ａを通って浴室１８内の空気が屋外に排気される（図４鎖線図示）。
【００４７】
また、図１１に示す羽根車６０が回転することで、第１の換気風路６６ａ及び換気ファン部５９の吸込口６２ａを通り、図１に示す浴室１８外からの空気が吸い込まれ、そして排気される（図４鎖線図示）。
【００４８】
（３ｂ）２４時間換気モード
２４時間換気モードボタン３０ａが押されると、制御・演算部２４からの制御信号によって換気ファンモータ５９ａが起動される。換気ファンモータ５９ａが駆動されると吸気口６ｂから浴室１８内の空気が吸い込まれ、第２の換気風路６６ｂ及び換気ファン部５９の吸込口６２ａを通って浴室１８内の空気が屋外に排気される（図４鎖線図示）。
【００４９】
また、図１１に示す羽根車６０が回転することで、第１の換気風路６６ａ及び換気ファン部５９の吸込口６２ａを通り、図１に示す浴室１８外からの空気が吸い込まれ、そして排気される（図４鎖線図示）。
【００５０】
なお、２４時間換気モードは、通常選択されており、住宅全体等の所定エリアの換気を所定の換気回数（例えば０．５回／時）を満たすように、連続的にまたは断続的にファンモータ５９ａが駆動され、浴室１８の浴室ドア２３ａの空気取込口（ガラリ）２３ａを通して、居室等の他室の空気が吸い込まれて、常時換気を行うようになっている。
【００５１】
（４ａ）乾燥運転モード
乾燥モードボタン３１が押されると、制御・演算部２４からの制御信号によって、循環ファンモータ５３ａ、換気ファンモータ５９ａ及びＰＴＣヒータ５８が駆動される。
【００５２】
循環ファンモータ５３ａが駆動されると、吸込口６ｂを通して、循環ファン部５３の吸込口５７ａから室内の空気が吸い込まれ、循環ファンケース５６によって吹出口５７ｂへと空気が流れる。ＰＴＣヒータ５８が駆動され通電されると、風路５６ａを通る空気が加温され、フロントパネル６の吹出口６ａから温風が吹き出される。
【００５３】
換気ファンモータ５９ａが駆動されると、羽根車６０が回転することで、浴室１８内の空気が吸込口６ｂから吸い込まれ、吸い込まれた空気は第２の換気風路６６ｂ及び換気ファン部５９の吸込口６２ａを通って屋外に排気される。
【００５４】
これにより、乾燥モードでは、浴室１８内に温風を吹き出すことで、ランドリーパイプ２２に吊された洗濯物等の洗濯物を乾燥させることができる。
【００５５】
（４ｂ）追加乾燥運転モード
乾燥運転モードが選択されたときには、上述した制御・演算部２４では、湿度センサ２６からのセンサ出力が監視され、第１の所定条件下での湿度（第１の湿度）と、第２の所定条件下での湿度（第２の湿度）とが比較され、その湿度差の有無が検知され、湿度差があるときはこの湿度差に応じて追加乾燥運転が行われる。
【００５６】
ここに、第１の所定条件下とは、乾燥運転モードの直前または直後のことであり、第２の所定条件下とは、乾燥運転モードが終了してから所定時間経過したときを指す。
【００５７】
この例では、洗濯物等を乾燥する乾燥運転モードが選択されたときは、この乾燥運転モードが選択された直前に検出された湿度若しくは乾燥運転モードが選択された直後に検出された湿度を第１の湿度として保存する。第１の湿度については、通常運転されている２４時間換気運転モード時に、定期的（例えば３０分毎）に湿度をサンプリングして、その平均値を第１の湿度として用いることができる。その場合には、乾燥運転モードが選択されたタイミングの直前までにサンプリングされた湿度の平均値が第１の湿度として使用される。２４時間換気運転モードでは、第１の湿度（平均値）は５０％程度となる。
【００５８】
次に、乾燥運転モードが終了してから所定時間経過後に（第２の所定条件下に相当する）、浴室内の湿度を検出する。所定時間とは、３０分〜１時間程度である。所定時間が短すぎると、乾燥運転モード時の室内湿度（１５〜３０％）を検出してしまうおそれがあるからである。検出されたこの湿度を第２の湿度として、第１の湿度と比較する。
【００５９】
乾燥運転前（直後を含む。）と比較して湿度が上昇しているときは、浴室内の湿度が高くなっていることになるので、この場合には洗濯物等が充分乾燥していないと判断して、追加乾燥運転を行う。追加乾燥運転の運転時間は湿度差によって異ならせる。
【００６０】
追加乾燥運転は、風量を一定にしてヒータ温度（ヒータ発熱量）と運転時間を、湿度差に応じて可変する場合でもよければ、ヒータ温度を一定にして風量と運転時間を、湿度差に応じて可変してもよいし、あるいはその双方（風量とヒータ温度運転時間）を湿度差に応じて可変してもよい。さらに、ヒータ５８に通電涼風運転モードと同様な循環ファンモータ５３ａと換気ファンモータ５９ａとを駆動した循環換気運転でもよい。
【００６１】
追加乾燥運転の運転時間と湿度差との関係を、予めテーブル化しておけば、検知された湿度差から、その湿度差に適した追加乾燥運転時間や稼働対象を簡単に選択できる。
【００６２】
その一例を以下の（表１）に示す。（表１）に示す湿度比較データテーブルの追加乾燥運転モードは、風量とヒータ発熱量の双方を可変した場合である。この湿度比較データテーブルは、図６に示す湿度比較データテーブル記憶部３９に記憶されている。
【００６３】
【表１】
0004807036.tif 000002
湿度差が少ないときは、追加乾燥時間は短く設定され、湿度差が大きくなるにつれて追加乾燥時間が長くなるように設定されている。湿度差が大きいときはそれだけ湿気が洗濯物等に付着していると考えられるからである。ただし、（表１）に示した追加乾燥時間の例は、あくまでも一例にすぎない。
【００６４】
第１回目の追加乾燥後も継続して湿度を監視して、第２回目以降の追加乾燥を行ってもよい。洗濯物等を確実に乾燥させるためである。その場合の追加乾燥運転の終了は、以下の何れかを選択できる。
【００６５】
（１）リモコン操作部２５に設けられた乾燥運転終了ボタン３４が選択されたときには、追加乾燥時間が経過する前であっても強制終了する。これは、使用者の意思を尊重するためである。
【００６６】
（２）追加乾燥運転を所定回数行ってから強制終了させる。例えば３回繰り返したなら、強制終了させる。
【００６７】
（３）湿度差が大きいとき、追加乾燥運転を繰り返し行うが、タイマによる設定時間で強制終了させる。例えば８時間後に強制終了させる。この場合には、予め追加乾燥運転の上限時間がタイマによって初期設定されることになる。
【００６８】
なお、乾燥運転モードは、２４時間換気運転モードと併用することも可能である。この場合には、所定の部屋に備えた空気の取り入れ口から、新鮮な外気が取り込まれる。そして、必要換気風量が得られるように換気ファン部５９の風量を設定することで、所定換気回数を満たすことができる。風量は、所定換気回数を満たす換気ファン部５９の風量を標準と設定することができる。
【００６９】
続いて、上述した追加乾燥運転機能付きの乾燥運転モードの処理例を図８のフローチャートを参照して説明する。この例は２４時間換気運転モードが動作しているときに乾燥運転モードが選択された場合の処理例である。
【００７０】
図８に示す処理プログラムは乾燥運転モードが選択されたとき起動されるが、２４時間換気運転モードが選択されているときには、その前提として湿度センサ２６からのセンサ出力（湿度情報）が、定期的にサンプリングされ、サンプリングされた湿度情報の平均値が、制御・演算部２４内のメモリ（外部メモリでも可）に第１の湿度情報として保存されているものとする。２４時間換気運転モードがオフで、乾燥運転モードのみが選択されるようなケースでは、乾燥運転モードが選択された直後のセンサ出力が読み込まれて、その湿度情報が第１の湿度情報として保存されるものとする。したがって図８は前者の例である。
【００７１】
２４時間換気運転モードが稼働している状態では、吸い込み空気湿度が定期的にサンプリングされる（ステップ８１）。この状態のときに乾燥モードボタン３１が操作されて乾燥運転モードが選択され、そしてタイマボタン３３によって乾燥運転時間が選択されて、乾燥運転時間が設定される（ステップ８２）。
【００７２】
これによって乾燥運転が開始されると共に、予めサンプリングされ、平均化された吸い込む空気湿度が第１の湿度として保存される（ステップ８３）。追加乾燥運転を行うことによって、浴室１８内の湿度は次第に低くなる（下がる）。この湿度低下によって、洗濯物等は次第に乾燥する。
【００７３】
追加乾燥運転中は設定された乾燥運転時間が監視され、乾燥運転時間が到来することで、乾燥運転が終了する（ステップ８４）。乾燥運転が終了すると、２４時間換気運転モードに移行すると共に、乾燥運転終了後の所定時間（第１の所定時間であって、大凡３０分〜１時間）が経過したとき、吸い込み空気湿度を検知し、検知した空気湿度が第２の湿度として上述したメモリに保存される（ステップ８５）。
【００７４】
続いて、第１の湿度と第２の湿度の湿度差が比較され（ステップ８６）、第２の湿度が第１の湿度を下回っているときは、乾燥運転モード終了をそのまま維持し、２４時間換気運転モードを継続する（ステップ８７）。現在の浴室１８内の湿度が乾燥運転開始時の湿度よりも下回っているときは、浴室１８内の湿度が洗濯物等の洗濯物に付着しにくいので、このまま乾燥運転モードを終了させても洗濯物等の乾燥状態は、そのまま維持すると考えられる。
【００７５】
これに対して、第２の湿度が第１の湿度よりも大きい（高い）ときには、浴室１８の内部湿度が上昇しているものと判断し、洗濯物は生乾きの状態となっていると考えられる。その場合には、（表１）に示した湿度比較データテーブルを参照して追加乾燥運転時間及び稼働対象を指定して追加乾燥運転モードに遷移する（ステップ８８）。
【００７６】
そして、１回目の乾燥運転後であって、この追加乾燥運転時間を含めた第２の所定時間が経過したとき、あるいは乾燥終了ボタン３４が押されたときは、追加乾燥運転モードを終了させる（ステップ８９）。
【００７７】
ここで、ステップ８９における第２の所定時間とは、次のケースをそれぞれ含むものとする。
【００７８】
（１）追加乾燥処理回数が１回に設定されているときは、テーブルを参照したときの追加乾燥運転時間を指す。この場合にはステップ９０には遷移しない。
【００７９】
（２）追加乾燥処理回数が複数回に設定されているときは、最後の追加乾燥運転時間を指す。この場合、次の追加乾燥運転モードに遷移すると、ステップ９０において追加乾燥終了後における第１の所定時間を待って第２の湿度を検知する。そして、新たに検知されたこの第２の湿度を基準にして湿度差の比較が行われる（ステップ８６）。つまり追加乾燥処理回数ごとに第２の湿度が更新されると共に、湿度比較データテーブルを参照して追加乾燥時間が新たに設定されることになる。
【００８０】
（３）追加乾燥処理回数が設定されず、タイマによる追加乾燥運転の上限時間（例えば８時間）が設定されているときは、この上限時間を指す。したがってこの場合でもステップ９０に遷移して第２の湿度の更新が行われ、追加乾燥時間の再設定処理がなされる。
【００８１】
以上のような処理を行うことで、浴室１８内に洗濯物が放置されているような場合でも、洗濯物等の乾燥状態を維持できる。
【００８２】
上述した浴室空調装置１は、循環用ファンと換気ファンとを独立して設けたが、循環ファンと換気ファンとを単一のファンで構成し、風路切換手段であるダンパにより、循環風路を換気風路を切り換え、または双方の風路に空気を送風できるような構造であってよく、実施例に記載された浴室空調装置に限られるものではない。
【００８３】
また、本発明の浴室とは、浴槽を持たないシャワー室も含み、洗面所とは脱衣所を含むものである。
【産業上の利用可能性】
【００８４】
この発明では、浴室内に設置される浴室乾燥機に適用できる。
【図面の簡単な説明】
【００８５】
【図１】この発明に係る浴室空調装置の設置例を示す要部断面図である。
【図２】浴室空調装置の分解斜視図である。
【図３】図２の平面図である。
【図４】図３のＡ−Ａ断面図である。
【図５】図３のＢ−Ｂ断面図である。
【図６】浴室空調装置の運転モード制御系を示す要部の系統図である。
【図７】リモコン操作部の配置例を示す図である。
【図８】追加乾燥処理例を示すフローチャートである。
【符号の説明】
【００８６】
１・・・浴室空調装置
６ｂ・・・吸込口
１８・・・浴室
２４・・・制御・演算部
２５・・・操作部
２６・・・湿度センサ
２７・・・洗濯物
３０・・・換気モードボタン
３１・・・乾燥モードボタン
３４・・・乾燥終了ボタン
【図１】
0004807036.tif 000003
【図２】
0004807036.tif 000004
【図３】
0004807036.tif 000005
【図４】
0004807036.tif 000006
【図５】
0004807036.tif 000007
【図６】
0004807036.tif 000008
【図７】
0004807036.tif 000009
【図８】
0004807036.tif 000010